(57)【要約】【課題】  既設の演算装置内で記憶され、演算に使用される演算情報を新設の演算装置の演算においても使用することができるコンピュータシステムの更新方法の提供を目的とする。【解決手段】  コンピュータシステムの更新方法は、プロセス入出力装置２から第１演算装置３ａへ演算入力１００を送信させ、第１演算装置３ａに演算を行わせ、演算結果１０１ａをプロセス入出力装置２へ送信させる工程と、プロセス入出力装置２に第２演算装置３ｂを接続する工程と、第１演算装置内に記憶されている内部演算情報１１０を、第１演算装置３ａから第２演算装置３ｂへ送信させる工程と、第２演算装置に、内部演算情報１１０を使用して演算入力１００に基づく演算を行わせ、演算結果１０１ｂをプロセス入出力装置へ送信させる工程と、演算結果１０１ａ、１０１ｂの一致を確認する工程と、第１演算装置３ａを切り離す工程とを備える。【選択図】  図１
2012064160.tif 000002
【特許請求の範囲】
【請求項１】
プロセス入出力装置に第１演算装置を接続してコンピュータシステムを構成し、前記プロセス入出力装置から前記第１演算装置へ演算入力を送信させ、前記第１演算装置に、前記演算入力に基づく演算を行わせ、演算結果を前記プロセス入出力装置へ送信させる工程と、
前記プロセス入出力装置に第２演算装置を接続する工程と、
前記第１演算装置内に記憶され、前記第１演算装置の前記演算入力に基づく演算において使用される情報である内部演算情報を、前記第１演算装置から前記第２演算装置へ送信させる工程と、
前記第２演算装置に、前記第１演算装置から前記内部演算情報を受信させるとともに、前記プロセス入出力装置から前記演算入力を受信させ、前記内部演算情報を使用して前記演算入力に基づく演算を行わせ、前記演算結果を前記プロセス入出力装置へ送信させる工程と、
前記プロセス入出力装置において前記第１演算装置および前記第２演算装置の前記演算結果の一致を確認する工程と、
前記コンピュータシステムから前記第１演算装置を切り離す工程とを備えることを特徴とするコンピュータシステムの更新方法。
【請求項２】
前記第１演算装置は、過去に行った前記演算入力に基づく演算結果を過去の演算結果として前記第１演算装置内に記憶し、前記過去の演算結果を所定期間分読み込み使用して、前記演算入力に基づく演算を行うものであり、
前記内部演算情報は、前記過去の演算結果であり、
前記第２演算装置は、前記内部演算情報として前記過去の演算結果を受信して、前記第２演算装置内に記憶し、前記過去の演算結果を所定期間分読み込み使用して、前記演算入力に基づく演算を行うことを特徴とする請求項１記載のコンピュータシステムの更新方法。
【請求項３】
前記過去の演算結果は、過去の現場センサの信号であり、
前記第１演算装置および前記第２演算装置は、前記内部演算情報として過去の現場センサの信号を使用して、現場センサの信号の傾向判定を行うことを特徴とする請求項２記載のコンピュータシステムの更新方法。
【請求項４】
プロセス入出力装置と接続されコンピュータシステムを構成し、前記プロセス入出力装置から演算入力を受信し、この演算入力に基づいて演算を行い、演算結果を前記プロセス入出力装置へ送信するとともに、前記演算入力に基づく演算に使用する情報を内部演算情報として記憶する演算装置であって、
前記プロセス入出力装置に新設の演算装置が接続されたときに、この新設の演算装置に前記内部演算情報を送信することを特徴とするコンピュータシステムの演算装置。
【請求項５】
プロセス入出力装置と接続されコンピュータシステムを構成し、前記プロセス入出力装置から演算入力を受信し、この演算入力に基づいて演算を行い、演算結果を前記プロセス入出力装置へ送信するとともに、前記演算入力に基づく演算に使用する情報を内部演算情報として記憶する演算装置であって、
既設の演算装置が接続されている前記プロセス入出力装置に接続されたときに、前記既設の演算装置から前記内部演算情報を受信し記憶して、前記演算入力に基づく演算に使用することを特徴とするコンピュータシステムの演算装置。 
【発明の詳細な説明】
【技術分野】
【０００１】
本発明は、プロセス入出力装置に演算装置が接続されたコンピュータシステムの更新方法に関する。
【背景技術】
【０００２】
原子力発電所のプラント監視制御装置をはじめとするコンピュータシステムは、プロセス入出力装置に演算装置を接続することにより構成される。プロセス入出力装置は、現場センサの信号や運転員の操作を演算入力としてデジタル化して演算装置へ送信し、演算装置は、この演算入力に基づいて演算を行い、演算結果をプロセス入出力装置に送信する。
【０００３】
この種のコンピュータシステムの更新方法は、プロセス入出力装置および既設の演算装置の電源を落として停止させた後、プロセス入出力装置と新設の演算装置を接続するとともに、既設の演算装置を切り離し、電源を入れ直して行うことが一般的であった。
【０００４】
しかし、原子力発電所や火力発電所、製鉄所などにおいては、この種のコンピュータシステムを停止させずに演算装置の更新を行う要求がある。そこで、既設の演算装置を運転させたまま、プロセス入出力装置に新設の演算装置を接続し、プロセス入出力装置から演算入力を既設の演算装置および新設の演算装置へ分岐させて送信し、既設の演算装置および新設の演算装置で並列して演算させ、既設の演算装置と新設の演算装置の演算結果が一致することを確認した後に、プロセス入出力装置への演算結果の送信元を既設の演算装置から新設の演算装置へ切替え、既設の演算装置を切り離すことによって、コンピュータシステムを停止させずに演算装置を更新する技術が開発されている（例えば、特許文献１、２参照。）。
【先行技術文献】
【特許文献】
【０００５】
【特許文献１】特開２００３−３１６４２７号公報
【特許文献２】特開２００４−１３３７８３号公報
【発明の概要】
【発明が解決しようとする課題】
【０００６】
しかしながら、現場センサの信号の傾向判定やトレンド表示を行うコンピュータシステムの演算装置は、過去のセンサの情報を記憶装置に逐次記憶し、これら過去のセンサの情報と現在のセンサの情報を用いて傾向判定やトレンドグラフの作成や傾向判定を行う。したがって、このようなコンピュータシステムに、上述した特許文献１または特許文献２に記載の更新方法を適用すると、新設の演算装置に既設の演算装置内の過去のセンサの情報を移行させていないため、既設の演算装置と新設の演算装置の演算結果の一致の確認ができない可能性がある。
【０００７】
つまり、上述した特許文献１および特許文献２に記載の技術に生じる可能性がある課題は、既設の演算装置内で記憶され演算に使用される演算情報を、新設の演算装置の演算においても使用させていないために生ずるものである。
【０００８】
そこで本発明は、既設の演算装置内で記憶され演算に使用される演算情報を、新設の演算装置の演算においても使用することができるコンピュータシステムの更新方法の提供を目的とする。
【課題を解決するための手段】
【０００９】
上記目的を達成するために、本発明のコンピュータシステムの更新方法は、プロセス入出力装置に第１演算装置を接続してコンピュータシステムを構成し、プロセス入出力装置から第１演算装置へ演算入力を送信させ、第１演算装置に、演算入力に基づく演算を行わせ、演算結果をプロセス入出力装置へ送信させる工程と、プロセス入出力装置に第２演算装置を接続する工程と、第１演算装置内に記憶され、第１演算装置の演算入力に基づく演算において使用される情報である内部演算情報を、第１演算装置から第２演算装置へ送信させる工程と、第２演算装置に、第１演算装置から内部演算情報を受信させるとともに、プロセス入出力装置から演算入力を受信させ、内部演算情報を使用して演算入力に基づく演算を行わせ、演算結果をプロセス入出力装置へ送信させる工程と、プロセス入出力装置において第１演算装置および第２演算装置の演算結果の一致を確認する工程と、コンピュータシステムから第１演算装置を切り離す工程とを備えることを特徴とする。
【００１０】
さらに、上記目的を達成するために、本発明のコンピュータシステムの演算装置は、プロセス入出力装置と接続されコンピュータシステムを構成し、プロセス入出力装置から演算入力を受信し、この演算入力に基づいて演算を行い、演算結果を前記プロセス入出力装置へ送信するとともに、演算入力に基づく演算に使用する情報を内部演算情報として記憶する演算装置であって、プロセス入出力装置に新設の演算装置が接続されたときに、この新設の演算装置に内部演算情報を送信することを特徴とする。
【発明の効果】
【００１１】
本発明によれば、コンピュータシステムの更新において、既設の演算装置内で記憶され演算に使用される演算情報を、新設の演算装置の演算においても使用することができる。
【図面の簡単な説明】
【００１２】
【図１】本発明の実施形態に係るコンピュータシステムの更新方法の概略図。
【図２】本発明の実施形態に係る第１演算装置および第２演算装置の演算方法を示す概略図。
【発明を実施するための形態】
【００１３】
以下、本発明の実施形態を説明する。
【００１４】
（構成）
以下、本発明の実施形態に係るコンピュータシステムの更新方法について図１および図２を参照して説明する。図１は、本発明の実施形態に係るコンピュータシステムの更新方法の概略図である。以下、既設の演算装置を第１演算装置３ａ、新設の演算装置を第２演算装置３ｂとして説明する。
【００１５】
コンピュータシステム１の更新時において、コンピュータシステム１は、プロセス入出力装置２と第１演算装置３ａと第２演算装置３ｂと切替装置４とから構成される。ここで、第１演算装置３ａと第２演算装置３ｂは、内部演算情報１１０を記憶することができる記憶装置１４１ａと記憶装置１４１ｂをそれぞれ備えるものとする。
【００１６】
プロセス入出力装置２は、第１演算装置３ａおよび第２演算装置３ｂへ演算入力１００を送信することができるように、プロセス入出力装置２と第１演算装置３ａおよび第２演算装置３ｂを接続する。さらに、プロセス入出力装置２は、第１演算装置３ａへ内部演算情報送信指令１２０を送信することができるように、プロセス入出力装置２と第１演算装置３ａを接続する。
【００１７】
第１演算装置３ａは、切替装置４へ演算結果１０１ａを送信することができるように、第１演算装置３ａと切替装置４を接続する。同様に、第２演算装置３ｂは、切替装置４へ演算結果１０１ｂを送信することができるように、第２演算装置３ｂと切替装置４を接続する。さらに、第１演算装置３ａは、記憶装置１４１ａに記憶されている内部演算情報１１０を第２演算装置３ｂ内の記憶装置１４１ｂへ送信することができるように、第１演算装置３ａと第２演算装置３ｂを接続する。
【００１８】
切替装置４は、第１演算装置３ａおよび第２演算装置３ｂからそれぞれ受信した演算結果１０１ａおよび演算結果１０１ｂを、プロセス入出力装置２へ送信することができるように、切替装置４とプロセス入出力装置２を接続する。
【００１９】
また、コンピュータシステム１の更新前においては、コンピュータシステム１は、プロセス入出力装置２と第１演算装置３ａと切替装置４とから構成され、コンピュータシステム１の更新後においては、コンピュータシステム１は、プロセス入出力装置２と第１演算装置３ｂと切替装置４とから構成される。
【００２０】
（作用）
以下、第１演算装置３ａおよび第２演算装置３ｂは、現場のセンサ信号の１日ないし１週間といった所定期間の傾向を示すトレンドグラフの作成を行う演算装置であるとして、コンピュータシステム１における既設の演算装置である第１演算装置３ａから新設の演算装置である第２演算装置３ｂに更新する方法を説明する。
【００２１】
図２は、本発明の実施形態に係る第１演算装置および第２演算装置の演算方法を示す概略図である。第１演算装置３ａの記憶装置１４１ａにはあらかじめ一日や一週間といった所定の期間分の過去のセンサ信号１４０が記憶されているものとする。コンピュータシステム１の更新前においては、プロセス入出力装置２は、現在のセンサ信号１３０を演算入力１００として第１演算装置３ａへ送信する。第１演算装置３ａは、演算入力１００として現在のセンサ信号１３０を受信するとともに、所定の期間分の過去のセンサ信号１４０を記憶装置１４１ａから読み出し、現在のセンサ信号１３０および過去のセンサ信号１４０を用いて所定の期間のトレンドグラフ１５０ａを作成する。第１演算装置３ａは、作成したトレンドグラフ１５０ａを演算結果１０１ａとして、切替装置４を介して、プロセス入出力装置２へ送信するとともに、現在のセンサ信号１３０を過去のセンサ信号１４０として含めて記憶装置１４１ａに記録する。プロセス入出力装置２は、演算結果１０１ａであるトレンドグラフ１５０ａを受信し、表示モニタなどにトレンドグラフ１５０ａを表示させる。
【００２２】
コンピュータシステム１の更新時においては、まず、第１演算装置３ａと並列して第２演算装置３ｂを接続する。第１演算装置３ａの記憶装置１４１ａに記録されている所定の期間分の過去のセンサ信号１４０を、第２演算装置３ｂにおいても使用してトレンドグラフ１５０ｂの作成を行わせるために、プロセス入出力装置２は、第１演算装置３ａへ内部演算情報送信指令１２０を送信する。第１演算装置３ａは、内部演算情報送信指令１２０を受信すると、記憶装置１４１ａ内の所定の期間分の過去のセンサ信号１４０を内部演算情報１１０として第２演算装置３ｂへ送信する。第２演算装置３ｂは、内部演算情報１１０として過去のセンサ信号１４０を受信し、第２演算装置内の記憶装置１４１ｂに記憶する。
【００２３】
第１演算装置３ａから第２演算装置３ｂへ過去のセンサ信号１４０を移行させた後、プロセス入出力装置２は、第２演算装置３ｂへ演算入力１００として現在のセンサ信号１３０を送信する。第２演算装置３ｂは、所定の期間分の過去のセンサ信号１４０を記憶装置１４１ｂから読み出し、過去のセンサ信号１４０と現在のセンサ信号１３０を使用してトレンドグラフ１５０ｂの作成を行い、演算結果１０１ｂとして、切替装置４を介して、プロセス入出力装置２へ送信する。
【００２４】
プロセス入出力装置２は、第１演算装置３ａおよび第２演算装置３ｂから演算結果１０１ａおよび演算結果１０１ｂとして２つのトレンドグラフ１５０ａ、ｂを受信し、２つのトレンドグラフ１５０ａ、ｂが一致するときには、正確に第２演算装置３ｂがプロセス入出力装置２へ接続され、運転しているものと判定し、第１演算装置３ａをプロセス入出力装置２から切り離す。
【００２５】
演算結果１０１ａおよび演算結果１０１ｂが一致しないときには、第２演算装置３ｂのデバッグやパラメータ調整などを行った後、再びプロセス入出力装置２から第１演算装置３ａおよび第２演算装置３ｂへ演算入力１００として現在のセンサ信号１３０を送信し、第１演算装置３ａおよび第２演算装置３ｂにトレンドグラフ１５０ａ、ｂの作成を行わせる。
【００２６】
さらに、本実施形態は以下の変形が可能である。例えば、第１演算装置３ａおよび第２演算装置３ｂにセンサ信号の平均値や標準偏差の演算機能を持たせ、これらの演算結果を記憶装置１４１ａ、１４１ｂに傾向判定結果も記憶させておくことで、更新後も更新前の過去の平均値や標準偏差を読み出し、更新後のセンサ信号を更新前の平均値や標準偏差に反映させることが可能である。また、第１演算装置３ａおよび第２演算装置３ｂにトレンドグラフをもとに、センサ信号の所定期間内の振れ幅や平均値と閾値を比較することによって異常判定を行う傾向判定機能を持たせることで、更新後も更新前のセンサ信号の傾向を加味した傾向判定が可能である。
【００２７】
（効果）
本発明の実施形態によれば、過去のセンサ信号１４０を使用して演算を行う演算装置の更新において、過去のセンサ信号１４０を内部演算情報１１０として第２演算装置３ｂに移行させることで、第１演算装置３ａの過去のセンサ信号１４０を引き継いで第２演算装置３ｂにおいても演算させることができる。
【００２８】
なお、本発明の実施形態は上述した実施形態に限られないことは言うまでもない。例えば、内部演算情報１１０は、過去のセンサ情報１４０だけでなく、プロセス入出力装置２から演算入力１００として第１演算装置３ａへ送信される情報、または第１演算装置３ａの演算で生成される情報であって、第１演算装置３ａで記憶され使用される情報であれば他の情報でも適用可能である。これには、運転日数、解析およびシミュレーション結果、第１演算装置３ａに運転員が入力したパラメータなどが適用可能である。
【００２９】
また、第１演算装置３ａの内部演算情報１１０を、第２演算装置３ｂにおいて認識し使用することができるように、第１演算装置３ａまたは第２演算装置３ｂにおいて、内部演算情報１１０の第１演算装置３ａから第２演算装置３ｂへのプロトコル変換機能を設けてもよい。
【００３０】
さらに、第１演算装置３ａから第２演算装置３ｂへの内部演算情報１１０は、第１演算装置３ａと第２演算装置３ｂとの間に設けられた専用回線によって送信するだけでなく、演算結果１０１ａ、１０１ｂの送信経路を利用して切替装置４を介して内部演算情報１１０を送信してもよい。
【００３１】
また、プロセス入出力装置２から第１演算装置３ａへ内部演算情報送信指令１２０を送信するだけでなく、他の装置から第１演算装置３ａへ内部演算情報送信指令１２０を送信してもよい。さらに、第１演算装置３ａは内部演算情報送信指令１２０の受信によらずに、第２演算装置３ｂが並列して接続されたことをトリガーとして自動で、または手動で内部演算情報１１０を第２演算装置３ｂへ送信させてもよい。
【符号の説明】
【００３２】
１・・・コンピュータシステム
２・・・プロセス入出力装置
３ａ・・・第１演算装置
３ｂ・・・第２演算装置
４・・・切替装置
１００・・・演算入力
１０１ａ、ｂ・・・演算結果
１１０・・・内部演算情報
１２０・・・内部演算情報送信指令
１３０・・・現在のセンサ信号
１４０・・・過去のセンサ信号
１４１ａ、ｂ・・・記憶装置
１５０ａ、ｂ・・・トレンドグラフ 
【図１】
2012064160.tif 000003
【図２】
2012064160.tif 000004